(57)【要約】【課題】ゴミ箱の装飾が行えて臭いの発散をも防止することのできる装飾カバーを提供すること。【解決手段】ゴミ箱２０の上端開口２１全体を覆うカバー本体１１と、このカバー本体１１の外周に取り付けた装飾部１２とからなるゴミ箱用カバー１０であって、カバー本体１１にゴミ投入用の開口部１３を形成し、かつこの開口部１３の周縁に第一弾性伸縮材１４ａを一体化して、開口部１３がゴミ投入時にのみ開くようにするとともに、装飾部１２の、ゴミ箱２０の上端開口２１の外側になる部分に、第二弾性伸縮材１４ｂを一体化して、装飾部１２の上部がゴミ箱２０に対して弾力的に保持されるようにしたこと。【選択図】図４
2005335845.tif 000002
【特許請求の範囲】
【請求項１】
ゴミ箱の上端開口全体を覆うカバー本体と、このカバー本体の外周に取り付けた装飾部とからなるゴミ箱用カバーであって、
前記カバー本体にゴミ投入用の開口部を形成し、かつこの開口部の周縁に第一弾性伸縮材を一体化して、前記開口部がゴミ投入時にのみ開くようにするとともに、
前記装飾部の、前記ゴミ箱の上端開口の外側になる部分に、第二弾性伸縮材を一体化して、前記装飾部の上部が前記ゴミ箱に対して弾力的に保持されるようにしたことを特徴とするゴミ箱用カバー。
【請求項２】
前記カバー本体または装飾部のいずれか少なくとも一方に、光触媒物質を添加したことを特徴とする請求項１に記載のゴミ箱用カバー。
【発明の詳細な説明】
【技術分野】
【０００１】
本発明は、ゴミ箱用カバーに関し、特に、ゴミ箱からの臭いの発散を防止するようにしたゴミ箱用カバーに関するものである。
【背景技術】
【０００２】
台所や部屋の隅におかれるゴミ箱は、そのままでは台所や部屋の雰囲気を損なう虞があるため、これ自体に装飾を施して美しくし上げることがなされている。しかしながら、この種のゴミ箱は、投入されたゴミによって汚れることもある一種の消耗品として使用されているものであるため、それほど豪華な装飾を施すことはできず、しかも装飾内容は人によって好みが大きく異なるため、装飾の多様性に応じた数多くのゴミ箱を用意することも非常に困難である。
【０００３】
そこで、例えば、特許文献１に提案されているように、この種のゴミ箱に装飾カバーを取り付けることがなされるようになってきている。ゴミ箱とは別の装飾カバーを使用すれば、安価なゴミ箱に対して自分の好みに応じた装飾が施せて、部屋の雰囲気に合ったゴミ箱ともすることができるからである。
【特許文献１】特開２００１−１０６３０３号公報、要約、図８
【発明の開示】
【発明が解決しようとする課題】
【０００４】
特許文献１に示されている「ゴミ箱カバー」は、「従来、家庭で、ゴミ箱の内側が汚れないように、そしてゴミの処理が簡単なようにゴミ箱の内側にスーパー等のビニール袋を入れて使うことがあったが、その際、ゴミ箱の外側に折り返したビニール袋がそのまま見えていた。これには次のような欠点があった。見た目に恰好が悪く味気無い印象を与えた。そのため、せっかく部屋を奇麗に飾ってもビニール袋丸見えのゴミ箱が部屋の雰囲気を壊してしまった」ことに着目して、「ゴミ箱に入れて外側に折り返したビニール袋を隠せるゴミ箱カバーを提供する」ことを目的としてなされたものである。
【０００５】
そして、この特許文献１に記載された「ゴミ箱カバー」は、図４にも示すように、「ゴミ箱の周囲の一部または全部を隠すためのカバーに、ゴミ箱に着脱自在に係止装着するための係止手段を設けたこと」、あるいは「ゴミ箱の周囲の一部または全部を隠すためのカバーに、ゴミ箱に着脱自在に係止装着するための係止手段を設け、該カバーにペーパー引き出し口を有するティシュ入れを設けたこと」を特徴とするものである。
【０００６】
この図４に示した特許文献１に記載されている従来の「ゴミ箱カバー」は、「ゴミ箱の外側に折り返したビニール袋が丸見えにならないので部屋の雰囲気を損なう心配がない。また、古くなって汚れたゴミ箱でも周囲を覆って汚れを隠せるのでゴミ箱を長く利用できる。また、ファッション性もある。」（特許文献１の段落００２３）と考えられるものである。
【０００７】
しかしながら、特許文献１に記載されている「ゴミ箱カバー」では、ゴミが発生する臭いについては全く意を用いていないため、生ゴミのような臭いを発散するものを入れたときには、台所や部屋中にその臭いが発散することになると考えられる。
【０００８】
そこで、本発明者等は、ゴミ箱の装飾が行えて臭いの発散をも防止することのできる装飾カバーとするにはどうしたらよいか、について種々検討を重ねてきた結果、本発明を完成したのである。
【０００９】
すなわち、本発明の目的とするところは、ゴミ箱の装飾が行えて臭いの発散をも防止することのできる装飾カバーを提供することにある。
【課題を解決するための手段】
【００１０】
以上の課題を解決するために、まず、請求項１に係る発明の採った手段は、後述する最良の形態の説明中において使用する符号を付して説明すると、
「ゴミ箱２０の上端開口２１全体を覆うカバー本体１１と、このカバー本体１１の外周に取り付けた装飾部１２とからなるゴミ箱用カバー１０であって、
カバー本体１１にゴミ投入用の開口部１３を形成し、かつこの開口部１３の周縁に第一弾性伸縮材１４ａを一体化して、開口部１３がゴミ投入時にのみ開くようにするとともに、
装飾部１２の、ゴミ箱２０の上端開口２１の外側になる部分に、第二弾性伸縮材１４ｂを一体化して、装飾部１２の上部がゴミ箱２０に対して弾力的に保持されるようにしたことを特徴とするゴミ箱用カバー１０」
である。
【００１１】
すなわち、この請求項１に係るゴミ箱用カバー１０は、図１に示すように、ゴミ箱２０の上端開口２１全体を覆うカバー本体１１と、このカバー本体１１の外周に取り付けた装飾部１２とからなるゴミ箱用カバー１０であり、カバー本体１１にゴミ投入用の開口部１３を形成し、かつこの開口部１３の周縁に第一弾性伸縮材１４ａを一体化して、図２に示すように、開口部１３がゴミ２２の投入時にのみ開くようにしたものである。
【００１２】
また、このゴミ箱用カバー１０においては、図３にも示すように、装飾部１２の、ゴミ箱２０の上端開口２１の外側になる部分に、第二弾性伸縮材１４ｂを一体化して、装飾部１２の上部がゴミ箱２０に対して弾力的に保持されるようにしたものでもある。
【００１３】
このゴミ箱用カバー１０を構成しているカバー本体１１は、ゴミ箱２０の上端開口２１全体を完全に覆うことができる大きさにしたものであり、その開口部１３が図１に示したような状態に閉じられているときには、ゴミ箱２０内のゴミ２２からの臭気が外に出ないようにしているものである。勿論、このカバー本体１１の開口部１３が閉じたままでは、ゴミ２２の投入が行えないから、このカバー本体１１に開口部１３を形成したのである。
【００１４】
開口部１３のそれぞれの端部には、図３にて拡大して示したように、ゴム紐等によって形成した第一弾性伸縮材１４ａが縫いつけあるいは取り付けてあり、これにより、通常はこの開口部１３を閉じた状態に保持するとともに、ゴミ２２を投入したいときには、図２に示したように、手で簡単に開けられるものとしてある。
【００１５】
なお、このゴミ箱用カバー１０では、開口部１３を手で開けないとゴミ２２のゴミ箱２０内への投入が行えないため、一見すると不便なようであるが、幼児に「ゴミ２２はゴミ箱２０へ」という躾を行うのには非常によいものとなっている。その際には、次の述べる装飾部１２に幼児の好む装飾を施すことがよい結果を生むことになる。
【００１６】
また、このゴミ箱用カバー１０の装飾部１２は、ゴミ箱２０の上部外側を装飾するものであり、種々な刺繍を施したり、プリント柄を施したりされるものである。この装飾部１２は、ゴミ箱２０の上部周囲を柔らかく包み込むものであり、室内に置かれたときのゴミ箱２０の雰囲気を変えるものである。その意味では、この装飾部１２は、前述した特許文献１に記載されたカバーに該当するものである。
【００１７】
そして、この装飾部１２は、図３に示したように、ゴミ箱２０の上端開口２１の外側になる部分に、第二弾性伸縮材１４ｂを一体化してあった。この第二弾性伸縮材１４ｂは、装飾部１２の上部がゴミ箱２０に対して弾力的に保持されるようにするものであり、また、上端開口２１の大きさがある程度異なっても使用できるようにして、当該ゴミ箱用カバー１０を所謂フリーサイズのものとするためのものである。
【００１８】
また、この装飾部１２に形成してある第二弾性伸縮材１４ｂは、その伸縮性によって、上述したカバー本体１１が「ピン」と張った状態にするものでもある。つまり、ゴミ箱２０の上端開口２１の外側部分は、ゴミ２２の投入が行い易くなるようにするために図３に示すように上方に向けて拡がった状態にしてあることが多いが、当該第二弾性伸縮材１４ｂは、その弾力性によって、ゴミ箱２０の広がった部分の下側に装飾部１２の上部をしっかりと保持させることになるのである。
【００１９】
従って、この請求項１のゴミ箱用カバー１０は、ゴミ箱２０の装飾が行えるものとなっていることは勿論、ゴミ箱２０の上端開口２１を完全に包み込んで、中からの臭いの発散を防止することができるものとなっているのである。
【００２０】
また、上記課題を解決するために、請求項２に係る発明の採った手段は、上記請求項１に記載のゴミ箱用カバー１０について、
「カバー本体１１または装飾部１２のいずれか少なくとも一方に、光触媒物質を添加したこと」
である。
【００２１】
すなわち、この請求項２に係るゴミ箱用カバー１０では、臭いの発散を防止するだけでなく、積極的な脱臭をも行えるようにするために、カバー本体１１または装飾部１２のいずれか少なくとも一方に、光触媒物質を添加したものである。
【００２２】
この光触媒物質の添加は、光触媒物質を含ませた液を吹き付けることによって行ってもよいし、あるいは、光触媒物質の溶液内に、請求項１に係るゴミ箱用カバー１０を浸すことにより行うようにしてもよいものであるが、カバー本体１１または装飾部１２のいずれか少なくとも一方に添加すれば十分である。勿論、ゴミ箱用カバー１０全体に光触媒物質を添加してもよいことはいうまでもない。
【００２３】
従って、この光触媒物質を添加したゴミ箱用カバー１０は、カバー本体１１によってゴミ箱２０からの臭気の発散が防止されていることは当然として、光が十分存在すれば、光触媒物質によって内部に閉じこめられている臭気の分解をも行えるものとなっているのである。
【発明の効果】
【００２４】
以上詳述した通り、本発明においては、上述した通り、
「ゴミ箱２０の上端開口２１全体を覆うカバー本体１１と、このカバー本体１１の外周に取り付けた装飾部１２とからなるゴミ箱用カバー１０であって、
カバー本体１１にゴミ投入用の開口部１３を形成し、かつこの開口部１３の周縁に第一弾性伸縮材１４ａを一体化して、開口部１３がゴミ投入時にのみ開くようにするとともに、
装飾部１２の、ゴミ箱２０の上端開口２１の外側になる部分に、第二弾性伸縮材１４ｂを一体化して、装飾部１２の上部がゴミ箱２０に対して弾力的に保持されるようにしたこと」
にその構成上の主たる特徴があり、これにより、ゴミ箱の装飾が行えて臭いの発散をも防止することのできる装飾カバー１０を提供することができるのである。
【発明を実施するための最良の形態】
【００２５】
次に、以上のように構成した各請求項に係る発明を、図面に示した最良の形態であるゴミ箱用カバー１０について説明するが、この最良形態のゴミ箱用カバー１０は、上記各請求項に係る発明を実質的に含むものである。
【００２６】
図１には、この最良形態に係るゴミ箱用カバー１０をゴミ箱２０に取り付けた状態が示してあるが、このゴミ箱用カバー１０は、布のような柔らかい素材によって形成したカバー本体１１及び装飾部１２を備えたものである。これらのカバー本体１１及び装飾部１２は、縫製等によってゴミ箱用カバー１０とする前に、光触媒物質の液中に漬けたり、光触媒物質溶液を吹き付けたりして、光触媒物質の添着を予め行っておくとよいものである。
【００２７】
カバー本体１１は、ゴミ箱２０の上端開口２１全体が覆えるような大きさを有したものであり、その略中央部には、図２及び図３にも示したような開口部１３が形成してある。具体的には、上記のカバー本体１１の中央部に、その布材料が重なり合う部分を形成しておいて、これらの各重なり部分に「ギャザー」を形成し、これらのギャザーの裏側に平ゴム紐を縫いつけることにより形成したものである。この平ゴム紐が、上記手段の項で述べている第一弾性伸縮材１４ａなのである。
【００２８】
一方、カバー本体１１の周縁に縫着等の手段により一体化した装飾部１２は、図１等で示しているように、ゴミ箱２０の上端部を覆うためのものであり、使用者の好みに応じた模様や絵、あるいは柄を付したものである。本実施形態では、この装飾部１２の下端にフリルを取り付けるようにしている。
【００２９】
また、この装飾部１２の上部上地側であって、ゴミ箱２０の上端開口２１の外側になる部分には、図３に示したように、環状の第二弾性伸縮材１４ｂが取り付けてある。この第二弾性伸縮材１４ｂとしては、第一弾性伸縮材１４ａの場合と同様な平ゴム紐を使用するのが最も適しているが、この第二弾性伸縮材１４ｂが構成する「環」は、ゴミ箱２０の上部の径より僅かに小さくなる程度のものが最適である。何故なら、当該ゴミ箱用カバー１０をフリーサイズのものにする必要があり、また、ゴミ箱２０に対する当該ゴミ箱用カバー１０の取り付け自体を容易にするためである。
【００３０】
以上のように構成したゴミ箱用カバー１０をゴミ箱２０に取り付けるには、まず、その装飾部１２をゴミ箱２０の上端部に被せて、第二弾性伸縮材１４ｂを少し伸ばしながら、この第二弾性伸縮材１４ｂがゴミ箱２０の上端開口２１の外側部分に嵌り込むようにする。そして、第二弾性伸縮材１４ｂがゴミ箱２０に完全に嵌合されてことを確認してから、カバー本体１１がゴミ箱２０の上端開口２１全体を覆うように、ゴミ箱用カバー１０自体のゴミ箱２０に対する位置調整を行うのである。
【００３１】
なお、このゴミ箱用カバー１０のゴミ箱２０に対する取付操作を行う前に、図３に示したように、ゴミ箱２０内にゴミ２２を受けるためのゴミ袋３０を収納しておき、このゴミ袋３０のゴミ箱２０からはみ出た部分を、装飾部１２によって覆い隠すようにしてもよい。
【００３２】
以上の結果、当該ゴミ箱用カバー１０は、そのカバー本体１１によってゴミ箱２０の上端開口２１を完全に覆うことができるのであり、これにより、ゴミ箱２０内に投入されたゴミ２２の臭気を外に漏らさないようにすることができるのである。勿論、このカバー本体１１自体の色や、このカバー本体１１に付してある柄や模様によってこのゴミ箱用カバー１０が置かれた部屋の雰囲気を損なうようなことはない。
【００３３】
また、このカバー本体１１や装飾部１２に光触媒物質を添着した場合には、この光触媒物質によってゴミ箱２０内の臭気の分解がなされるものである。
【００３４】
そして、このゴミ箱用カバー１０の装飾部１２は、ゴミ箱２０の側部の上部を、またゴミ袋３０を使用した場合には、このゴミ袋３０の端を、図１及び図２に示したように覆うことができるのであり、この装飾部１２自体の色や、この装飾部１２に付してある柄や模様によってこのゴミ箱用カバー１０が置かれた部屋の雰囲気を損なうようなことはないことは、上述したカバー本体１１の場合と同様である。
【図面の簡単な説明】
【００３５】
【図１】本発明に係るゴミ箱用カバーをゴミ箱に取り付けた状態を示す斜視図である。
【図２】同ゴミ箱用カバーの開口部からゴミを投入している状態を示す斜視図である。
【図３】図１中の１−１線に沿って見た部分拡大縦断面図である。
【図４】従来の技術を示す斜視図である。
【符号の説明】
【００３６】
１０    ゴミ箱用カバー
１１    カバー本体
１２    装飾部
１３    開口部
１４ａ  第一弾性伸縮材
１４ｂ  第二弾性伸縮材
２０    ゴミ箱
２１    上端開口
２２    ゴミ
３０    ゴミ袋
【図１】
2005335845.tif 000003
【図２】
2005335845.tif 000004
【図３】
2005335845.tif 000005
【図４】
2005335845.tif 000006